(57)【要約】【課題】本発明は、複数人のプレイヤーが１つの携帯電話装置を用いて対戦型または協力型のゲームを行うことができる携帯電話装置の提供を課題とする。【解決手段】一般的なディスプレイ部１１とボタン部１２を備える携帯電話装置において、複数人のゲームプレイヤーで操作する対戦型または協力型のゲームプログラムを記憶するゲームプログラム記憶部１０２と、該ゲームプログラムに基づいて所定のゲーム画面を前記ディプレイ部１１に表示させるゲーム画面表示制御部１０３ａと、ボタン部１２のうちゲームの操作に必要なボタン部１２をゲームプレイヤーの人数分に機能分割して制御するボタン制御部１０３ｂとが設けられている。【選択図】      図１
2008220646.tif 000002
【特許請求の範囲】
【請求項１】
各種画面を表示するディスプレイ手段とボタン手段とを備える携帯電話装置において、
複数人のゲームプレイヤで操作する対戦型または協力型のゲームプログラムを記憶するゲームプログラム記憶手段と、該ゲームプログラムに基づいて所定のゲーム画面を前記ディプレイ手段に表示させるゲーム画面表示制御手段と、前記ボタン手段のうちゲームの操作に必要なボタン手段を前記ゲームプレイヤの人数分に機能分割して制御するボタン制御手段とが設けられていることを特徴とする携帯電話装置。
【請求項２】
前記ゲーム画面表示制御手段は、所定のゲーム画面を前記ディスプレイ手段において通常の表示方向と直交する横方向に表示するものとなされている請求項１に記載の携帯電話装置。
【請求項３】
前記ゲームプログラムは、所定のサーバからインターネット等のネットワークを介して送信されてきたゲームプログラムを受信するゲームプログラム受信手段が設けられている請求項１または請求項２に記載の携帯電話装置。
【請求項４】
前記ゲームプレイヤの人数は２人である請求項１ないし請求項３のいずれかに記載の携帯電話装置。
【請求項５】
携帯電話装置を、複数人のゲームプレイヤで操作する対戦型または協力型のゲームプログラムを記憶するゲームプログラム記憶手段、該ゲームプログラムに基づいて所定のゲーム画面を前記ディプレイ手段に表示させるゲーム画面表示制御手段、前記ボタン手段のうちゲームの操作に必要なボタン手段を前記ゲームプレイヤの人数分に機能分割して制御するボタン制御手段として機能させるコンピュータプログラム。
【請求項６】
携帯電話装置を、複数人のゲームプレイヤで操作する対戦型または協力型のゲームプログラムを記憶するゲームプログラム記憶手段、該ゲームプログラムに基づいて所定のゲーム画面を前記ディプレイ手段に表示させるゲーム画面表示制御手段、前記ボタン手段のうちゲームの操作に必要なボタン手段を前記ゲームプレイヤの人数分に機能分割して制御するボタン制御手段として機能させるコンピュータプログラムが記録された記録媒体。
【発明の詳細な説明】
【技術分野】
【０００１】
本発明は、ディスプレイにゲーム画面を表示して複数人のプレイヤがゲームを行うことができる携帯電話装置に関する。
【背景技術】
【０００２】
近年、携帯電話装置は多くに者が所有するようになってきており、それに伴って一般的な通話機能のほかにゲーム、テレビ、ナビゲーションなどの様々な機能も提案されている。
【０００３】
このうちゲームの機能については各社より種々提案されている。このゲームの操作方法としては、一般に、携帯電話装置の所有者がゲーム画面をディスプレイに表示させて、番号等が付されたボタンのうちゲームに必要な所定のボタンを操作することによってゲームを行うものであった。
【０００４】
また、最近では、複数人のプレイヤの携帯電話装置をインターネット等のネットワークを介して通信可能な状態に接続し、各プレイヤの携帯電話装置にゲーム画面を表示させて互いに対戦するといういわゆる対戦型のゲームも登場してきている（例えば特許文献１参照）。
【０００５】
【特許文献１】特開２００１−２５９２２９号公報
【発明の開示】
【発明が解決しようとする課題】
【０００６】
しかしながら、従来のゲームは、あくまでも１人のプレイヤが１つの携帯電話装置を用いてゲームを行うものであり、複数のプレイヤが１つの携帯電話装置を用いてゲームを行うことができないという問題があった。
【０００７】
本発明は、上記問題に鑑みてなされたものであって、複数人のプレイヤが１つの携帯電話装置を用いて対戦型または協力型のゲームを行うことができる携帯電話装置の提供を課題とする。
【課題を解決するための手段】
【０００８】
本発明は、上記課題を解決するために、各種画面を表示するディスプレイ手段とボタン手段とを備える携帯電話装置において、複数人のゲームプレイヤで操作する対戦型または協力型のゲームプログラムを記憶するゲームプログラム記憶手段と、該ゲームプログラムに基づいて所定のゲーム画面を前記ディプレイ手段に表示させるゲーム画面表示制御手段と、前記ボタン手段のうちゲームの操作に必要なボタン手段を前記ゲームプレイヤの人数分に機能分割して制御するボタン制御手段とが設けられていることを特徴とする。
【０００９】
これによれば、ボタン手段のうちゲームの操作に必要なボタン手段がゲームプレイヤの人数分に分割制御されるので、各プレイヤはそれぞれ対応するボタン手段を操作することにより１つの携帯電話装置を用いて対戦型または協力型のゲームを行うことができる。
【００１０】
また、前記ゲーム画面表示制御手段は、所定のゲーム画面を前記ディスプレイ手段において通常の表示方向と直交する横方向に表示するものとなされてもよい。これによれば複数のプレイヤが並んであるいは対向しながら分割制御されたボタン手段を操作し易くなり、また画面も共有しながら閲覧し易くなる。
【００１１】
また、前記ゲームプログラムは、所定のサーバからインターネット等のネットワークを介して送信されてきたゲームプログラムを受信するゲームプログラム受信手段が設けられてもよい。これによれば様々なゲームを簡単に携帯電話装置にダウンロードすることができ、次々と新しいゲームを興じることができる。
【００１２】
また、前記ゲームプレイヤの人数は２人であるのが好ましい。これによれば２人で携帯電話装置を共有することになるため、余裕をもって互いにゲームを行うことができる。
【００１３】
また、本発明に係るプログラムは、携帯電話装置を、複数人のゲームプレイヤで操作する対戦型または協力型のゲームプログラムを記憶するゲームプログラム記憶手段、該ゲームプログラムに基づいて所定のゲーム画面を前記ディプレイ手段に表示させるゲーム画面表示制御手段、前記ボタン手段のうちゲームの操作に必要なボタン手段を前記ゲームプレイヤの人数分に機能分割して制御するボタン制御手段として機能させることを特徴とする。なお、記録媒体は当該プログラムが携帯電話装置に読み取り可能な状態で記録されている。
【発明の効果】
【００１４】
本発明によれば、ボタン手段のうちゲームの操作に必要なボタン手段がゲームプレイヤの人数分に分割制御されるので、各プレイヤはそれぞれ対応するボタン手段を操作することにより１つの携帯電話装置を用いて対戦型または協力型のゲームを行うことができる。このため複数人のゲームプレイヤでゲームに興じることによりゲームの楽しさがより一層向上する上、対戦型または協力型のゲームといった１人ではできなかった様々な種類のゲームを提供することが可能となる。
【発明を実施するための最良の形態】
【００１５】
次に本発明の一実施形態に係る携帯電話装置（以下、本装置という）について説明する。
【００１６】
図１は、本実施携帯に係る本装置の外観斜視図である。
【００１７】
本装置は、各種画面を表示するディスプレイ部（１１）が主に設けられる第１装置本体部（１）と、番号等が付されたボタン部（１２）が主に設けられる第２装置本体部（２）とからなり、それら第１装置本体部（１）と第２装置本体部（２）が軸を介して合掌状に開閉可能なものとなされている。
【００１８】
また、前記第１装置本体部（１）の上部に相手の声や着信音を出力するスピーカ部（１３）が設けられ、前記第２装置本体部（２）の下部に自己の声を入力するマイク部（１４）が設けられ、これらスピーカ部（１３）およびマイク部（１４）により相手の携帯電話装置と通話するものとなされている。
【００１９】
さらに、図示を省略しているが、第２装置本体部（２）の裏側にはカメラ部が設けられており、カメラ部を被写体に向けた状態で所定のボタン部（１２）を操作することにより撮影を行うものとなされている。
【００２０】
なお、この本装置の各部の機能については、従来の携帯電話装置にも設けられているものである。
【００２１】
図２は、本装置における本発明を実施するために必要な機能を示すブロック図である。
【００２２】
本装置は、図２に示すように、ゲームプログラムを受信するゲームプログラム受信部（１０１）と、ゲームプログラムを記憶するゲームプログラム記憶部（１０２）と、各部を統括的に制御する制御部（１０３）と備えてなり、前記ディスプレイ部（１１）およびボタン部（１２）が制御部（１０３）に制御されるものとなされている。
【００２３】
前記ゲームプログラム受信部（１０１）は、本装置からインターネット等のネットワークを介して所定のサーバ（図示略）にゲームプログラムのダウロードの提供を要求したときに、該サーバからネットワークを介して送信されてきたゲームプログラムを受信するものである。
【００２４】
前記ゲームプログラム記憶部（１０２）は、前記ゲームプログラム受信部（１０１）により受信されたゲームプログラムを記憶するものである。このゲームプログラム記憶部（１０２）は本装置に内蔵のものであってもよいし、本装置に外部接続されたものであってもよい。
【００２５】
前記制御部（１０３）は、各部を統括的に制御するもので、特に本発明を実施するためにゲーム画面表示制御部（１０３ａ）とボタン制御部（１０３ｂ）としての機能を有する。
【００２６】
前記ゲーム画面表示制御部（１０３ａ）は、前記ゲームプログラム記憶部（１０２）に記憶されているゲームプログラムに基づいて所定のゲーム画面をディプレイ部（１１）に表示させるものである。例えば、図３（ａ）に示す対戦型のテトリス（登録商標）、図３（ｂ）に示すテニスゲーム、あるいは図３（ｃ）に示す協力型のシューティングゲームなど、各種ゲームプログラムに応じて種々のゲーム画面をディスプレイ部（１１）に表示させる。
【００２７】
特に本実施形態では、図３（ａ）または図３（ｃ）に示すように、ゲーム画面を前記ディスプレイ部（１１）において通常の表示方向と直交する横方向に表示するのが好ましい。これによれば複数人のプレイヤが並んであるいは対向しながら分割制御されたボタン部（１２）を操作し易くなり、また画面も共有しながら閲覧し易くなる。
【００２８】
前記ボタン制御部（１０３ｂ）は、前記ボタン部（１２）のうちゲームの操作に必要なボタン部（１２）を２つに機能分割して制御するものである。
【００２９】
例えば、図３（ａ）に示す対戦型のテトリス（登録商標）の場合、ボタン部（１２）のうち図３（ａ）の方向から見て上部列のボタン部（１２）と下部列のボタン部（１２）との２つに機能分割して制御し、上部列のボタン部（１２）を自プレイヤ（Ａ）が操作し、かつ下部列のボタン部（１２）を相手プレイヤ（Ｂ）が操作し、互いに対向する位置からテトリス（登録商標）を行う。
【００３０】
また、図３（ｂ）に示す対戦型のテニスゲームの場合、ボタン部（１２）のうち図（３ｂ）の方向から見て上部列のボタン部（１２）と下部列のボタン部（１２）との２つに機能分割して制御し、上部列のボタン部（１２）を自プレイヤ（Ａ）が操作し、かつ下部列のボタン部（１２）を相手プレイヤ（Ｂ）が操作して、互いに対向する位置からテニスゲームを行う。
【００３１】
あるいはまた、図３（ｃ）に示す協力型のシューティングゲームの場合、ボタン部（１２）のうち図３（ｃ）の方向から見て下部列左側のボタン部（１２）と下部列右側のボタン部（１２）との２つに機能分割して制御し、下部列左側のボタン部（１２）を自プレイヤ（Ａ）が操作し、かつ下部列右側のボタン部（１２）を相手プレイヤ（Ｂ）が操作し、互いに並んだ位置において協力しながらシューティングゲームを行う。
【００３２】
もとより、図３（ａ）〜（ｃ）に示すゲープログラムにおいて自プレイヤ（Ａ）と相手プレイヤ（Ｂ）の位置については固定されるものではなく、互いの所望の位置においてゲームを行うことができる。
【００３３】
このようにボタン部（１２）のうちゲームの操作に必要なボタン部（１２）がプレイヤの人数分に分割制御されるので、各プレイヤはそれぞれ対応するボタン部（１２）を操作することにより１つの携帯電話装置を用いて対戦型または協力型のゲームを行うことができる。このため複数人のプレイヤでゲームに興じることによりゲームの楽しさがより一層向上する上、対戦型または協力型のゲームといった１人ではできなかった様々な種類のゲームを提供することが可能となる。
【００３４】
なお、本実施形態では、ゲームプログラムは所定のサーバからネットワークを介して受信することによりダウンロードしたが、外部の記録媒体に記憶されているゲームプログラムをダウンロードしてもよいし、あるいは本装置に予めゲームプログラムが記憶されていてもよい。
【００３５】
また、ゲームプログラム記憶部（１０２）は、通常、１つのゲームプログラムのみを記憶するのではなく、容量に応じて複数のゲームプログラムを記憶し、プレイヤの希望に応じてゲームプログラムが選択される場合が多い。
【００３６】
また、ゲームプログラムとして２人で対戦あるいは協力して行うものと挙げたが、３人以上で行うゲームプログラムであってもよい。この場合、ボタン制御部（１０３ｂ）は、前記ボタン部（１２）のうちゲームの操作に必要なボタン部（１２）をプレイヤの人数分に機能分割して制御することになる。
【００３７】
また、第１装置本体部（１）と第２装置本体部（２）が軸を介して合掌状に開閉可能な構成としたが、それらが一体化して一つの装置本体部にディスプレイ部（１１）とボタン部（１２）が設けられているものであってもよい。
【図面の簡単な説明】
【００３８】
【図１】本発明の一実施形態に係る携帯電話装置の外観斜視図である。
【図２】本装置における本発明を実施するために必要な機能を示すブロック図である。
【図３】本装置におけるゲームの操作状態および画面を示す図である。
【符号の説明】
【００３９】
１・・・第１装置本体部
２・・・第２装置本体部
１１・・・ディスプレイ部
１２・・・ボタン部
１３・・・スピーカ部
１４・・・マイク部
１０１・・・ゲームプログラム受信部
１０２・・・ゲームプログラム記憶部
１０３・・・制御部
１０３ａ・・・ゲーム画面表示制御部
１０３ｂ・・・ボタン制御部
【図１】
2008220646.tif 000003
【図２】
2008220646.tif 000004
【図３】
2008220646.tif 000005